(57)【特許請求の範囲】
【請求項１】
複数のキーを含む操作部を備えた携帯端末装置であって、
所定の操作に応じてオートスクロールを行うオートスクロール手段と、
所定のキーが押下された回数に応じて、オートスクロールの速度を上昇させる加速手段と、
他の所定のキーが押下された回数に応じて、オートスクロールの速度を低下させる減速手段と、
所定のキー操作に応じてオートスクロールを停止させる停止手段と、
所定のキーが押下された回数に応じた所定の時間が経過すると、オートスクロールの速度を減速させる自動減速手段と
を備えたことを特徴とする携帯端末装置。
【請求項２】
自動減速手段は、オートスクロールの速度を段階的に減速させる請求項１記載の携帯端末装置。
【請求項３】
加速手段は、所定のキーが１回押下されるとオートスクロールの速度を１段階速い速度に設定し、
減速手段は、他の所定のキーが１回押下されるとオートスクロールの速度を１段階遅い速度に設定する
請求項１または請求項２記載の携帯端末装置。
【請求項４】
停止手段は、予め決められたキーが所定時間内に複数回押下されるとオートスクロールを停止させる
請求項１から請求項３のうちのいずれか１項に記載の携帯端末装置。
【請求項５】
複数のキーを含む操作部を備えた携帯端末装置のスクロール制御方法であって、
所定の操作に応じてオートスクロールを行うオートスクロールステップと、
所定のキーが押下された回数に応じて、オートスクロールの速度を上昇させる加速ステップと、
他の所定のキーが押下された回数に応じて、オートスクロールの速度を低下させる減速ステップと、
所定のキー操作に応じてオートスクロールを停止させる停止ステップと、
所定のキーが押下された回数に応じた所定の時間が経過すると、オートスクロールの速度を減速させる自動減速ステップと
を含むことを特徴とする携帯端末装置のスクロール制御方法。
【発明の詳細な説明】
【技術分野】
【０００１】
本発明は、携帯端末装置および携帯端末装置のスクロール制御方法に関する。
【背景技術】
【０００２】
近年、Ｗｅｂ等を閲覧するためのブラウザ機能を備えた携帯電話機等の携帯端末装置が普及し、このような携帯端末装置を利用するユーザが増えてきている。表示部の画面に多くの情報を表示させるための機能として、例えば、スクロール機能が知られている。
【０００３】
自動スクロール表示機能を備えることによって、ユーザのキー操作の負担を軽減する携帯電話機が提案されている（例えば、特許文献１参照）。特許文献１には、自動スクロールの開始および停止をユーザのキー押下によって行うことが記載されている。
【０００４】
また、携帯機器等の限られた表示環境において、簡単な操作で効率的な情報提示を実現する情報表示装置が提案されている（例えば、特許文献２参照。）。特許文献２には、押下する毎にその方向の速度が加速するカーソルキー等からの入力に基づいて、表示移動速度を算出することが記載されている。
【０００５】
【特許文献１】特開２００２−１８５５９９号公報（段落００１８）
【特許文献２】特開２０００−１７２４０３号公報（段落００５２）
【発明の開示】
【発明が解決しようとする課題】
【０００６】
携帯電話機等の携帯端末装置は、端末の筐体の大きさやコストの面から、必ずしもペン入力やスクロールリング等の特別な入力機能を備えているとは限らない。例えば、数字や文字を入力するためのキーや、上下左右を示すための方向キーしか備えていない携帯端末装置も少なくない。
【０００７】
特別な入力機能を備えていない携帯端末装置において、画面に一部の情報しか表示されていない時に画面のスクロールを行うには、ユーザは、例えば、動かしたい方向の方向キーを何回も押下するか、連続して押下された場合と同様の操作を行うために押下し続ける必要がある。ブラウザで情報を閲覧したいだけなのに、キー入力の回数が多くなると、ユーザは閲覧を快適に行うことができなくなる。
【０００８】
また、方向キー等を用いてスクロールを行う場合、方向キーを押下するたびに、その方向にある次の入力用テキストボックスやリンクにカーソルが遷移してしまい、滑らかにスクロールされない。そのため、ユーザは、キーを押下するたびに画面を確認しなければならず、自分の見たい情報が表示されているか判断するのに時間がかかってしまう。
【０００９】
パーソナルコンピュータ等においては、マウスを用いて、オートスクロール機能を使用することができる。オートスクロール機能は、スクロールしたい方向を指定すると、マウスから手を離しても、自動的にその方向にスクロールする機能である。しかし、専用の入力機能を備えていない携帯端末装置では、オートスクロール機能を実現することは困難である。
【００１０】
特許文献１には、ユーザのキー押下によって、自動スクロールの開始および停止を行うことが記載されている。また、特許文献２には、カーソルキーを押下する毎に、表示の移動速度を加速することが記載されている。しかし、特許文献１，２に記載された方式では、高速でオートスクロールを行っている場合、ユーザが見たい情報が表示されている箇所を通り過ぎてしまう可能性がある。
【００１１】
そこで、本発明は、専用の入力機能を備えていない携帯端末装置でも、オートスクロール機能を実現でき、ユーザが見たい情報が表示されている箇所を通り過ぎてしまう可能性を低減することができる携帯端末装置および携帯端末装置のスクロール制御方法を提供することを目的とする。
【課題を解決するための手段】
【００１２】
本発明による携帯端末装置は、複数のキーを含む操作部を備えた携帯端末装置であって、所定の操作に応じてオートスクロールを行うオートスクロール手段と、所定のキーが押下された回数に応じて、オートスクロールの速度を上昇させる加速手段と、他の所定のキーが押下された回数に応じて、オートスクロールの速度を低下させる減速手段と、所定のキー操作に応じてオートスクロールを停止させる停止手段と、所定のキーが押下された回数に応じた所定の時間が経過すると、オートスクロールの速度を減速させる自動減速手段とを備えたことを特徴とする。
【００１３】
本発明による携帯端末装置のスクロール制御方法は、複数のキーを含む操作部を備えた携帯端末装置のスクロール制御方法であって、所定の操作に応じてオートスクロールを行うオートスクロールステップと、所定のキーが押下された回数に応じて、オートスクロールの速度を上昇させる加速ステップと、他の所定のキーが押下された回数に応じて、オートスクロールの速度を低下させる減速ステップと、所定のキー操作に応じてオートスクロールを停止させる停止ステップと、所定のキーが押下された回数に応じた所定の時間が経過すると、オートスクロールの速度を減速させる自動減速ステップとを含むことを特徴とする。
【発明の効果】
【００１４】
本発明によれば、専用の入力機能を備えていない携帯端末装置でも、ユーザが所望する速度でオートスクロールを行うことができ、ユーザが見たい情報が表示されている箇所を通り過ぎてしまう可能性を低減することができるという効果がある。
【発明を実施するための最良の形態】
【００１５】
実施形態１．
以下、本発明の第１の実施形態を図面を参照して説明する。図１は、第１の実施形態の携帯端末装置の構成例を示すブロック図である。図１に示す携帯端末装置１は、オートスクロール手段１０と、加速手段１１と、減速手段１２と、停止手段１４とを備えている。なお、携帯端末装置１は、複数のキーを含む操作部を備えている。携帯端末装置１は、例えば携帯電話機であるが、本実施形態および他の実施形態の携帯端末装置１は、複数のキーを含む操作部とスクロール表示が行われる表示部とを備えていれば、携帯電話機以外の携帯端末装置であってもよい。
【００１６】
携帯端末装置１は、プログラムにしたがって動作するＣＰＵを含むマイクロコンピュータを備え、マイクロコンピュータは、所定の操作に応じてオートスクロールモードを起動して、オートスクロールが可能な状態にする。オートスクロールとは、表示部の画面の表示内容が自動的にスクロールすることをいう。
【００１７】
オートスクロール手段１０は、オートスクロールモードの状態（オートスクロールモードが起動された状態）で、所定の操作に応じてオートスクロールを行う。オートスクロール手段１０は、加速手段１１および減速手段１２が設定した速度でオートスクロールを行う。
【００１８】
加速手段１１は、操作部におけるキーのうちの所定のキーが押下されると、オートスクロール手段１０が実行するオートスクロールの速度を、キーが押下された回数に応じて上昇させる。なお、オートスクロール手段１０は、オートスクロールを開始する際のオートスクロールの速度を所定の速度（既定値）に設定する。
【００１９】
減速手段１２は、所定のキー（加速手段１１に係る所定のキーとは異なるキー）が押下されると、オートスクロール手段１０が実行するオートスクロールの速度を、キーが押下された回数に応じて低下させる。停止手段１４は、所定のキー操作に応じてオートスクロールを停止させる。
【００２０】
次に、図２を参照して第１の実施形態の動作について説明する。図２は、第１の実施形態の携帯端末装置の処理の一例を示すフローチャートである。第１の実施形態では、オートスクロールモードが起動された状態を前提として説明する。
【００２１】
オートスクロールモードが起動された状態において、オートスクロール手段１０は、所定の操作に応じてオートスクロールを開始する（ステップＳ１００）。ここで、オートスクロール手段１０は、オートスクロールの速度を所定の速度に設定する。
【００２２】
加速手段１１は、所定のキーが押下されると、オートスクロールの速度を、キーが押下された回数に応じた所定の速度に上昇させる（ステップＳ２００）。オートスクロール手段１０は、その後、加速手段１１が上昇させた速度でオートスクロールを行う。
【００２３】
減速手段１２は、所定のキーが押下されると、オートスクロールの速度を、キーが押下された回数に応じた所定の速度に低下させる（ステップＳ３００）。オートスクロール手段１０は、その後、減速手段１２が低下させた速度でオートスクロールを行う。また、停止手段１４は、所定のキー操作がなされるとオートスクロールを停止させる（ステップＳ４００）。
【００２４】
以上に説明したように、第１の実施形態によれば、ユーザが所望する速度でオートスクロールを行うことができる。また、オートスクロールの速度が減速されることから、目的の情報を容易に判別することができる。よって、所望の位置でオートスクロールを停止させることが容易になるため、目的の情報を容易に表示させることができるという効果がある。
【００２５】
実施形態２．
次に、本発明の第２の実施形態を図面を参照して説明する。図３は、第２の実施形態の携帯端末装置の構成例を示すブロック図である。
【００２６】
図３に示す携帯端末装置１は、オートスクロール手段１０と、加速手段１１と、減速手段１２と、オートスクロールモード起動手段２１と、オートスクロールモード終了手段２２とを備えている。第２の実施の形態では、携帯端末装置１が、決定キーと上下左右の方向キーとを備えている場合を例にして説明する。なお、第１の実施形態における携帯端末装置１と同様の構成部については、図１と同一の符号を付し、説明を省略する。
【００２７】
オートスクロールモード起動手段２１は、所定の操作に応じてオートスクロールモードを起動する。例えば、オートスクロールモード起動手段２１は、所定のキーが、所定の期間に所定の回数押下されると、オートスクロールモードを起動する。「所定のキーが、所定の期間に所定の回数押下される」とは、例えば、０．５秒間等の短期間に、決定キーが２回押下されるような動作であって、例えば、マウスをダブルクリックするような動作である。また、オートスクロールモード起動手段２１は、オートスクロールモードを起動する際に、オートスクロールモードに入ったことを示すカーソルを画面に表示させる。
【００２８】
オートスクロールモード終了手段２２は、所定の操作に応じてオートスクロールモードを終了する。例えば、オートスクロールモード終了手段２２は、所定のキーが所定の回数押下されると、オートスクロールモードを終了する。また、オートスクロールモード終了手段２２は、オートスクロールモードを終了する際に、オートスクロールモードに入ったことを示すカーソルを画面から消去させる。
【００２９】
第２の実施形態において、加速手段１１は、所定のキーが１回押下されると、オートスクロールの速度を１段階速い速度に設定する。また、減速手段１２は、他の所定のキーが１回押下されると、オートスクロールの速度を１段階遅い速度に設定する。
【００３０】
次に、図４を参照して第２の実施形態の動作について説明する。まず、オートスクロールモードを起動する処理について説明する。図４は、オートスクロールモード起動手段２１がオートスクロールモードを起動する処理の一例を示すフローチャートである。第２の実施形態では、ブラウザが起動されている場合にオートスクロールモードを起動する場合を例にして説明する。
【００３１】
オートスクロールモード起動手段２１は、ブラウザが起動されているか否かを判断する（ステップＳ１０）。ブラウザが起動されていると判断した場合（ＹＥＳ）、ステップＳ２０に移行し、ブラウザが起動されていないと判断した場合（ＮＯ）、処理を終了する。
【００３２】
ステップＳ２０において、オートスクロールモード起動手段２１は、所定のキーが、所定の短期間に所定の回数押下されたか否かを判断する。例えば、オートスクロールモード起動手段２１は、短期間に決定キーが２回押下されたか否かを判断する。
【００３３】
ステップＳ２０において、押下されたと判断した場合（ＹＥＳ）、オートスクロールモード起動手段２１は、ステップＳ３０に移行してオートスクロールモードを起動する。押下されていないと判断した場合（ＮＯ）、オートスクロールモード起動手段２１は、処理を終了する。
【００３４】
次に、オートスクロールモードが起動された場合の処理について説明する。図５は、第２の実施形態の携帯端末装置のオートスクロールモードにおける処理の一例を示すフローチャートである。
【００３５】
オートスクロールモード起動手段２１は、オートスクロールモードを起動すると、オートスクロールモードに入ったことを示すカーソルを画面に表示させる。また、オートスクロール手段１０は、上方向または右方向へのオートスクロールを開始する（ステップＳ１０１）。
【００３６】
加速手段１１は、上キーが押下されたか否かを判断する（ステップＳ２０１）。押下されたと判断すると（ＹＥＳ）、加速手段１１は、上方向のオートスクロールの速度を１段階速い速度に設定し、オートスクロール手段１０は、設定された速度でオートスクロールを行う（ステップＳ２０２）。押下されなかったと判断すると（ＮＯ）、ステップＳ３０１に移行する。
【００３７】
ステップＳ３０１において、減速手段１２は、下キーが押下されたか否かを判断する。押下されたと判断すると（ＹＥＳ）、減速手段１２は、上方向のスクロール速度を１段階遅い速度に設定し、オートスクロール手段１０は、設定された速度でオートスクロールを行う（ステップＳ３０２）。押下されなかったと判断すると（ＮＯ）、ステップＳ３１１に移行する。
【００３８】
ステップＳ３１１において、減速手段１２は、左キーが押下されたか否かを判断する。押下されたと判断すると（ＹＥＳ）、減速手段１２は、右方向のスクロール速度を１段階遅い速度に設定し、オートスクロール手段１０は、設定された速度でオートスクロールを行う（ステップＳ３１２）。押下されなかったと判断すると（ＮＯ）、ステップＳ２１１に移行する。
【００３９】
ステップＳ２１１において、加速手段１１は、右キーが押下されたか否かを判断する。押下されたと判断すると（ＹＥＳ）、加速手段１１は、右方向のスクロール速度を１段階速い速度に設定し、オートスクロール手段１０は、設定された速度でオートスクロールを行う（ステップＳ２１２）。押下されなかったと判断すると（ＮＯ）、ステップＳ５０１に移行する。ステップＳ２０２，Ｓ２１２，Ｓ３０２，Ｓ３１２の処理の後、ステップＳ５０１に移行する。
【００４０】
オートスクロールモード終了手段２２は、所定のキーが所定の回数押下されると、オートスクロールモードを終了する。例えば、オートスクロールモード終了手段２２は、短期間に決定キーが２回押下されたか否かを判断する（ステップＳ５０１）。
【００４１】
ステップＳ５０１において、押下されたと判断した場合（ＹＥＳ）、ステップＳ５０２に移行する。ステップＳ５０２において、オートスクロール手段１０は、スクロールを停止させ、オートスクロールモード終了手段２２は、オートスクロールモードに入ったことを示すカーソルを画面から消去させ、オートスクロールモードを終了させる（ステップＳ５０３）。
【００４２】
ステップＳ５０１において、押下されていないと判断した場合（ＮＯ）、オートスクロールモード起動手段２１は、ステップＳ２０１に移行して、再度処理を実行する。
【００４３】
なお、第１の実施形態におけるステップＳ１００の処理は、第２の実施形態におけるステップＳ１０１の処理を含み、第１の実施形態におけるステップＳ２００の処理は、第２の実施形態におけるステップＳ２０１，Ｓ２０２，Ｓ２１１，Ｓ２１２の処理を含む。また、第１の実施形態におけるステップＳ３００の処理は、第２の実施形態におけるステップＳ３０１，Ｓ３０２，Ｓ３１１，Ｓ３１２の処理を含む。
【００４４】
第２の実施形態では、携帯端末装置１が、決定キーと上下左右の方向キーとを備えている場合を例にして説明したが、携帯端末装置１が、決定キーと上下左右の方向キーとを備えていない場合には、例えば、十字に配置された数字キー（例えば、２，４，６，８）を方向キーの代わりとし、数字の５を示す数字キーを決定キーの代わりとしてもよい。
【００４５】
以上に説明したように、第２の実施形態によれば、ペン入力やスクロールリング等の専用の入力機能を備えていない携帯端末装置においても、キー入力のみでオートスクロールモードを開始したり、終了したりすることができるため、より快適なユーザインタフェースを提供することができる。
【００４６】
実施形態３．
次に、本発明の第３の実施形態を図面を参照して説明する。図６は、第３の実施形態の携帯端末装置の構成例を示すブロック図である。
【００４７】
図６に示す携帯端末装置１は、オートスクロール手段１０と、加速手段１１と、減速手段１２と、自動減速手段１３と、停止手段１４と、オートスクロールモード起動手段２１と、オートスクロールモード終了手段２２とを備えている。第３の実施の形態では、携帯端末装置１が、決定キーと上下左右の方向キーとを備えている場合を例にして説明する。なお、第２の実施形態における携帯端末装置１と同様の構成部については、図３と同一の符号を付し、説明を省略する。
【００４８】
自動減速手段１３は、所定のキーが押下された回数に応じた所定の時間が経過すると、オートスクロールの速度を減速させる。自動減速手段１３は、押下されたキーに応じて「タイマ」を設定し、タイムアウトした場合にスクロール速度を減速させる。
【００４９】
「タイマ」は、マイクロコンピュータに含まれる。「タイマ」には、例えば、１０秒に相当するデータが設定される。「タイマ」は、起動されると、起動時にＣＰＵによって設定された時間が経過すると、ＣＰＵにタイムアウトしたことを通知する。
【００５０】
停止手段１４は、所定のキー操作に応じて、オートスクロールを停止させる。
【００５１】
次に、図７を参照して第３の実施形態の動作について説明する。図７は、第３の実施形態の携帯端末装置のオートスクロールモードにおける処理の一例を示すフローチャートである。なお、第２の実施形態における処理と同様の処理については、図５と同一の符号を付し、説明を省略する。
【００５２】
ステップＳ２０２において、加速手段１１は、上方向のオートスクロールの速度を１段階速い速度に設定し、オートスクロール手段１０は、設定された速度でオートスクロールを行う。次に、自動減速手段１３は、タイマをリスタートする（ステップＳ４０１）。自動減速手段１３は、例えば、タイマが未起動であればタイマの設定値を３０秒にし、既起動であればタイマの設定値を１０秒減らす。なお、タイマが未だ起動されていない場合には、ステップＳ４０１の処理は、厳密には、タイマをスタートする処理である。
【００５３】
ステップＳ３０２において、減速手段１２は、上方向のスクロール速度を１段階遅い速度に設定し、オートスクロール手段１０は、設定された速度でオートスクロールを行う。次に、自動減速手段１３は、タイマを停止する（ステップＳ４０２）。
【００５４】
ステップＳ３１２において、減速手段１２は、右方向のスクロール速度を１段階遅い速度に設定し、オートスクロール手段１０は、設定された速度でオートスクロールを行う。次に、自動減速手段１３は、タイマを停止する（ステップＳ４０３）。
【００５５】
ステップＳ２１２において、加速手段１１は、右方向のスクロール速度を１段階速い速度に設定し、オートスクロール手段１０は、設定された速度でオートスクロールを行う。次に、自動減速手段１３は、タイマをリスタートする（ステップＳ４０４）。自動減速手段１３は、例えば、タイマが未起動であればタイマの設定値を３０秒にし、既起動であればタイマの設定値を１０秒減らす。なお、タイマが未だ起動されていない場合には、ステップＳ４０４の処理は、厳密には、タイマをスタートする処理である。
【００５６】
ステップＳ４０１，Ｓ４０２，Ｓ４０３，Ｓ４０４の処理の後、ステップＳ４０５に移行する。
【００５７】
ステップＳ４０５において、自動減速手段１３は、タイマが動作中か否かを判断する。動作中と判断した場合（ＹＥＳ）、ステップＳ４０６において、タイマがタイムアウトしたか否かを判断する。タイマがタイムアウトしたと判断すると（ＹＥＳ）、自動減速手段１３は、スクロール速度を減速させる（ステップＳ４０７）。その後、オートスクロール手段１０は、自動減速手段１３が減速させた速度でオートスクロールを行う。
【００５８】
ステップＳ４０５においてタイマが動作中でないと判断した場合（ＮＯ）、ステップＳ４０６においてタイムアウトしていないと判断した場合（ＮＯ）およびステップＳ４０７の処理の後、ステップＳ５０１に移行する。
【００５９】
ステップＳ５０１において、所定のキー操作がされたと判断すると、停止手段１４は、オートスクロールを停止させ（ステップＳ６０１）、ステップＳ５０２に移行する。すなわち、オートスクロール手段１０は、停止手段１４からの指示によりオートスクロールを停止させる。所定の操作は、例えば、決定キーを短期間に２回押下する操作である。
【００６０】
なお、自動減速手段１３は、スクロール速度を減速させる際に、オートスクロールの速度を段階的に減速させてもよい。また、上記の説明では、減速手段１２がオートスクロールの速度を減速させたときにタイマを停止するが（ステップＳ４０２，Ｓ４０３参照）、ステップＳ４０１やＳ４０４の処理と同様の処理を行ってもよい。
【００６１】
以上に説明したように、第３の実施形態によれば、オートスクロールの速度が自動的に減速されることから、ユーザが見たい情報が表示されている箇所を通り過ぎてしまう可能性を低減することができる。しかも、スクロール速度を上昇させるにつれて、タイマが起動された時点から、スクロール速度を自動的に減速させる処理を開始するまでの時間が変化する（短くなる）ので、スクロール速度の上昇に起因してユーザが見たい情報が表示されている箇所を通り過ぎてしまうという可能性が低減する。
【００６２】
なお、上記に示した実施形態では、以下の（１）〜（７）に示すような特徴的構成を備えた携帯端末装置が示されている。
【００６３】
（１）複数のキーを含む操作部を備えた携帯端末装置であって、所定の操作に応じてオートスクロールを行うオートスクロール手段と、所定のキーが押下された回数に応じて、オートスクロールの速度を上昇させる加速手段と、他の所定のキーが押下された回数に応じて、オートスクロールの速度を低下させる減速手段と、所定のキー操作に応じてオートスクロールを停止させる停止手段とを備えたことを特徴とする携帯端末装置。
【００６４】
（２）さらに、所定のキーが押下された回数に応じた所定の時間が経過すると、オートスクロールの速度を減速させる自動減速手段を備えた携帯端末装置。そのように構成された携帯端末装置は、スクロール速度の上昇に起因してユーザが見たい情報が表示されている箇所を通り過ぎてしまうという可能性をより低減する。
【００６５】
（３）さらに、加速手段が、所定のキーが１回押下されるとオートスクロールの速度を１段階速い速度に設定し、減速手段が、他の所定のキーが１回押下されるとオートスクロールの速度を１段階遅い速度に設定するように構成された携帯端末装置。
【００６６】
（４）自動減速手段が、オートスクロールの速度を段階的に減速させるように構成された携帯端末装置。そのように構成された携帯端末装置は、スクロール速度が徐々に低下していくので、スクロール表示が行われる表示部の画面のサイズが小型である携帯端末装置において、ユーザがスクロールを止めやすいようにすることができる。
【００６７】
（５）停止手段が、予め決められたキーが所定時間内に複数回押下されるとオートスクロールを停止させるように構成された携帯端末装置。そのように構成された携帯端末装置は、操作部におけるキーの数が少ない携帯端末装置において有意義である。
【産業上の利用可能性】
【００６８】
本発明は、キー入力のインタフェースを備え、キー入力以外のペン入力やスクロールリング等の特別な入力機能を備えていない携帯端末装置に効果的に適用される。
【図面の簡単な説明】
【００６９】
【図１】第１の実施形態の携帯端末装置の構成例を示すブロック図である。
【図２】第１の実施形態の携帯端末装置の処理の一例を示すフローチャートである。
【図３】第２の実施形態の携帯端末装置の構成例を示すブロック図である。
【図４】オートスクロールモードを起動する処理の一例を示すフローチャートである。
【図５】オートスクロールモードにおける処理の一例を示すフローチャートである。
【図６】第３の実施形態の携帯端末装置の構成例を示すブロック図である。
【図７】オートスクロールモードにおける処理の一例を示すフローチャートである。
【符号の説明】
【００７０】
１    携帯端末装置
１０  オートスクロール手段
１１  速度設定手段
１２  減速手段
１３  停止手段
【図１】
0004952418.tif 000002
【図２】
0004952418.tif 000003
【図３】
0004952418.tif 000004
【図４】
0004952418.tif 000005
【図５】
0004952418.tif 000006
【図６】
0004952418.tif 000007
【図７】
0004952418.tif 000008